(57)【要約】【課題】ショーツラインが外着にあらわれるのを防止し、迅速容易かつ十分に股部分を開放し、用足しを可能とする婦人用下着を提供する。  【解決手段】婦人用下着の前身頃において、中央から股間にかけて開閉部を有し、その開閉部を後身頃上部まで連続させて設けるものとする。また、その開閉部の布地が相互に重なり合うものとし、前身頃からそのまま（布地の重なり合ったまま）後身頃上部まで連続させて設けるものとする。【選択図】              図１
0003110816.tif 000002
【実用新案登録請求の範囲】
【請求項１】
前身頃において中央から股間にかけて開閉部を有し、その開閉部が後身頃上部まで連続してなることを特徴とする婦人用下着。
【請求項２】
前身頃において中央から股間にかけて布地が相互に重なり合う開閉部を有し、その開閉部が布地の重なり合ったまま後身頃上部まで連続してなることを特徴とする婦人用下着。
【考案の詳細な説明】
【技術分野】
【０００１】
この考案は、婦人用下着、特に、股われ型の婦人用下着に関する。
【背景技術】
【０００２】
従来から、婦人用下着において、ショーツラインが外着に浮きあがるのを防止するため、トランクス型のものがあった。また、和装時の用足しを容易にするため、股の部分を裁断加工して開口部を設けたもの、又は、前後にカットしたりしたものがあった。
【０００３】
【特許文献１】実用新案登録第３１０１３６６号図１
【特許文献２】実用新案登録第３１０５８２６号図１
【特許文献３】実用新案登録第３０２０４５３号図１
【０００４】
特許文献１は、和装時の用足しを容易にするため、股下部分に開口部を設けた和装用下着である。本考案の下着は、股上が長いため、ショーツラインが着物表面に浮き上がることも防止していた。
特許文献２は、和装時の用足しを容易にするため、股の部分を前後１０センチほどカットした和装用のガードルパンツである。
特許文献３は、前身頃と後身頃の裾部に縦割れスリットを形成し、このスリットを係合手段によって開閉自在とし、用足し時にはスリットを開き下着を左右方向にずらすことにより用足しを容易にしたトランクス型の婦人用下着である（以下、「スリット付きトランクス型」とする）。
【考案の開示】
【考案が解決しようとする課題】
【０００５】
前記特許文献１〜３に記載される従来の股下部分に開口部を設けたもの、股の部分を前後１０センチほどカットしたもの、又は、スリット付きトランクス型の婦人用下着においては、下着の上げ下げをする必要がないという点では、和装時の用足しを容易ならしめていた。しかし、上記股下部分に開口部を設けたものにおいては、股間の保護部を有しないため保温性に劣るという不都合があった。また、上記股の部分を前後１０センチほどカットしたものにおいては、前後１０センチほどのカットでは、開口部としては結局十分でなく、股間を広く解放することができず、尿が垂れて下着を汚すという不都合があった。さらに、上記スリット付きトランクス型の婦人用下着においては、着物がずり落ちないために手で着物を支えた状態で、さらに、スリットを係合手段によって開閉しなければならないという不都合があった。
【０００６】
そこで、この考案の課題は、従来の股われ型の婦人用下着が有するショーツラインが外着にあらわれないという利便性をそのまま維持しつつ、股間の保護部を有し、迅速容易かつ十分に股部分を開放し、用足しを可能とする股われ型の婦人用下着を提供することにある。さらに、高齢者などの要介護者にあっては、おむつを必要としない場合でも、手足等に不自由があるために下着の上げ下げが困難である者に、上げ下げを要しない股われ型の婦人用下着を提供することにある。
【課題を解決するための手段】
【０００７】
前記課題を達成するための技術的手段として、本考案に係る婦人用下着は、前身頃において中央から股間にかけて開閉部を設け、その開閉部が後身頃上部まで連続してなるものであることを特徴とする。また、この開閉部を、布地が相互に重なり合うものとし、そのまま（布地が重なり合ったまま）後身頃上部まで連続してなるものとすることができる。このとき、開閉部を構成する後身頃外側の股間から上部にかけての端（図２（ｂ）のＣライン）と、開閉部を構成する後身頃内側の股間から上部にかけての端（図２（ｂ）のＤライン）を中央において重なることなくずらすことができる。
【考案の効果】
【０００８】
本考案の股われ型の婦人用下着は、開閉部を構成する２枚の布地がそのまま後身頃上部まで連続していて、腹回部によりしっかり引っ張られているため、後身頃中央部において布地がもたつくことなく、ショーツラインが外着（和装及び洋装）にあらわれることを防止する。また、本考案に係る婦人用下着においては、和装時の際は、迅速容易かつ十分に股部分を解放することにより、尿が垂れて下着を汚すという不都合を解消し、用足しを容易にする。さらに、高齢者などの要介護者にあっては、おむつを必要としない場合でも、手足等に不自由があるために下着の上げ下げが困難である者に、下着の上げ下げを不要とする。
【考案を実施するための最良の形態】
【０００９】
以下、本考案に係る婦人用下着の図面に示す実施形態に基づいて説明する。
図１（ａ）,（ｂ）は本考案に係る婦人用下着の実施形態の正面図及び背面図である。図２（ａ）,（ｂ）は本考案に係る婦人用下着の開閉部を開口した実施形態の正面図及び背面図である。
【００１０】
本考案の婦人用下着を具体的に詳細に説明する。
図１において、左右前身頃１，２の境界部のほぼ上半部３を縫製して接続し、この境界部分の下半部４を縫製せず、この下半部４上端の位置から股間にかけて左前身頃１の側縁１ａと右前身頃２の側縁２ａが重なるようにすると共に左後身頃５と右後身頃６の股間から腹回部７までにかけて前記左右前身頃１,２の側縁１ａ，２ａと連続して重なるように形成して開閉部８とし、この開閉部８は股間を開脚するときは開口するように形成してある。
【００１１】
本考案の婦人用下着は、開閉部８が左右後身頃５,６の側縁が縫製されず、所定の幅で重なるように形成してある。そのため着心地がよく、しかもこの重なり部分が開脚時には容易に開口するように形成してあるので、便利である。特に、開閉部８が後身頃において腹回部７まで形成されているので、開口しやすい。
【００１２】
本考案の婦人用下着は、左右前身頃１,２の下半分が側縁1ａ，２ａの重なり部分が連続して後身頃５,６の側縁を形成してあるので通常の着用時には違和感無く着用することができる。開脚時にはもたつき感もなく開閉部が開口する。
【図面の簡単な説明】
【００１３】
【図１】（ａ）は、本考案に係る股われ型の婦人用下着の一実施形態を示す正面図、（ｂ）は同背面図。
【図２】（ａ）は、本考案に係る股われ型の婦人用下着の開閉部を開口した一実施形態の正面図、（ｂ）は同背面図。
【符号の説明】
【００１４】
１       左前身頃
１ａ      左前身頃１の側縁
２       右前身頃
２ａ      右前身頃２の側縁
３        左右前身頃の境界部分の上半部
４        左右前身頃の境界部分の下半部
５        左後身頃
６        右後身頃
７        腹回部
８        開閉部
Ｃ        開閉部を構成する後身頃外側の股間から上部にかけての端
Ｄ        開閉部を構成する後身頃内側の股間から上部にかけての端
【図１】
0003110816.tif 000003
【図２】
0003110816.tif 000004